(57)【特許請求の範囲】
【請求項１】
電柱の周囲に巻掛可能な長さを有する巻掛部材と、電柱の周囲に巻き掛けられた巻掛部材同士を該電柱外周で連結して該巻掛部材を所望の高さに保持させる保持装置と、電柱の外周面に対して外方に延在する姿勢になるように巻掛部材に支持される棒状部材と、を備える電柱設置装置であって、
棒状部材には、作業者が乗ることによる荷重に耐え得る強度の足場部が巻掛部材側に配設されているとともに、該足場部の外方には物品を引っ掛けることによる荷重に耐え得る強度の引掛部が配設されており、
該棒状部材は、巻掛部材により支持されて足場部として機能する支持部と、該支持部の先端側に着脱可能に連結されて引掛部として機能する連結部と、の二部品により構成されて、
連結部には、延在方向に対して屈折する屈折部が基端側に形成されているのに対して、
支持部には、延在方向の複数個所の下面側に該連結部の屈折部を差込可能に開口する係合穴が形成されているとともに、当該連結部を差し込んで延在方向にスライド可能に開口して該連結部を支持する差込穴が先端側に配設されていることを特徴とする電柱設置装置。
【請求項２】
前記棒状部材の引掛部の先端側には、延在方向に対して交差する方向に周回する周回部が形成されていることを特徴とする請求項１に記載の電柱設置装置。
【請求項３】
前記棒状部材の引掛部の先端側の周回部は、延在方向から上方に向かって延長されて水平面内で周回するように形成されていることを特徴とする請求項２に記載の電柱設置装置。
【請求項４】
前記棒状部材の支持部には、連結部の屈折部側を係合穴側に向かって接近させる板バネが設けられていることを特徴とする請求項１から３のいずれかに記載の電柱設置装置。
【請求項５】
前記巻掛部材に複数の棒状部材が支持されていることを特徴とする請求項１から４のいずれかに記載の電柱設置装置。
【請求項６】
前記棒状部材は、巻掛部材に着脱させて増設または削減可能な構造に作製されていることを特徴とする請求項５に記載の電柱設置装置。
【発明の詳細な説明】
【技術分野】
【０００１】
本発明は、電柱設置装置に関し、詳しくは、電柱の任意の箇所に工具袋などの吊り下げを可能にするものに関する。
【背景技術】
【０００２】
従来より、電柱には上部まで登るための足場ボルトが固設されており、このような電柱に看板などを設置する場合や、電柱上部に設置されている機器の定期点検や電線の増設などを行う際には、その足場ボルトなどを利用しつつ作業者が電柱に登って各種作業を行う。
【０００３】
このとき、作業者は使用する工具や材料などを工具袋に入れて近い箇所に準備して各種作業を行っており、その工具袋の紐を、例えば、足場ボルトに引っ掛けている。この工具袋の紐を引っ掛ける足場ボルトは、一般的には、電柱の外周面の予め設計されている箇所に固設されている（例えば、特許文献１〜３参照）。また、この足場ボルトと同様に作業者用の足場部材を固定バンドやチェーンにより任意の箇所に設置することができるように工夫されている装置も提案されている（例えば、特許文献４、５参照）。
【特許文献１】特開平６−２４８８６２号公報
【特許文献２】特開平７−２１７６３７号公報
【特許文献３】特開平９−１９８号公報
【特許文献４】特開２００５−１６３３８８号公報
【特許文献５】実開平６−９３１３号公報
【発明の開示】
【発明が解決しようとする課題】
【０００４】
しかしながら、このような足場ボルトは、作業者が足場として足を掛けるものであることから、その足場部分に工具袋の紐などを掛けると邪魔になってしまい、また、作業者の足に引っ掛かってしまうと、作業者が危険な目にあう、という問題があった。
【０００５】
このことから、作業袋を固定する箇所として、電柱上部に特別な装置を配設することが考えられるが、膨大な箇所に配設する必要があってコストが掛かり過ぎてしまって、結果的には使われなくなってしまうことが予想される。また、その設置箇所も決められていることから、効果的に利便性を向上させることは難しい。
【０００６】
そこで、本発明は、電柱に工具袋などを引っ掛ける箇所を予め設けることなく、その工具袋などを吊り下げることができる箇所を適宜準備可能にすることにより、作業に適した箇所に工具袋などを吊り下げて効率よく作業できるようにして、電柱周りでの作業を補助することのできる電柱設置装置を提供すること目的とする。
【課題を解決するための手段】
【０００７】
上記課題を解決する電柱設置装置の第１の発明は、電柱の周囲に巻掛可能な長さを有する巻掛部材と、電柱の周囲に巻き掛けられた巻掛部材同士を該電柱外周で連結して該巻掛部材を所望の高さに保持させる保持装置と、電柱の外周面に対して外方に延在する姿勢になるように巻掛部材に支持される棒状部材と、を備えており、該棒状部材の先端側には、延在方向に対して交差する方向に周回する周回部が形成されていることを特徴とするものである。
【０００８】
この発明では、電柱の周囲に巻掛部材を巻き掛けて保持装置により連結することにより外方に延在する姿勢の棒状部材を所望の高さに取り付けることができ、その棒状部材に工具袋の紐などを引っ掛けて吊り下げたり、その棒状部材先端の周回部内に工具袋の紐などを進入させることができる。したがって、電柱の所望の高さに工具袋などを準備して作業することができ、このときに、その工具袋の紐が誤って大きく移動しようとしたとしても、その棒状部材先端の周回部により脱落することが防止されるとともに、その周回部内に工具袋の紐などを進入させたときには、不用意にその周回部から工具袋の紐などが抜け出ることができずに信頼性高く吊り下げた状態を維持することができる。
【０００９】
上記課題を解決する電柱設置装置の第２の発明は、電柱の周囲に巻掛可能な長さを有する巻掛部材と、電柱の周囲に巻き掛けられた巻掛部材同士を該電柱外周で連結して該巻掛部材を所望の高さに保持させる保持装置と、電柱の外周面に対して外方に延在する姿勢になるように巻掛部材に支持される棒状部材と、を備えており、棒状部材には、作業者が乗ることによる荷重に耐え得る強度の足場部が巻掛部材側に配設されているとともに、該足場部の外方には物品を引っ掛けることによる荷重に耐え得る強度の引掛部が配設されていることを特徴とするものである。
【００１０】
この発明では、電柱の周囲に巻掛部材を巻き掛けて保持装置により連結することにより外方に延在する姿勢の棒状部材を所望の高さに取り付けることができ、その棒状部材の足場部を利用して作業者が乗ることができるとともに、その足場よりも外方先端の引掛部には工具袋の紐などを引っ掛けて吊り下げることができる。したがって、電柱の所望の高さに足場を追加して利用することができるとともに、その足場とは異なる箇所に工具袋などを準備して作業することもできる。
【００１１】
上記課題を解決する電柱設置装置の第３の発明は、電柱の周囲に巻掛可能な長さを有する巻掛部材と、電柱の周囲に巻き掛けられた巻掛部材同士を該電柱外周で連結して該巻掛部材を所望の高さに保持させる保持装置と、電柱の外周面に対して外方に延在する姿勢になるように巻掛部材に支持される棒状部材と、を備えており、棒状部材には、作業者が乗ることによる荷重に耐え得る強度の足場部が巻掛部材側に配設されているとともに、該足場部の外方には物品を引っ掛けることによる荷重に耐え得る強度の引掛部が配設されて、該引掛部の先端側には、延在方向に対して交差する方向に周回する周回部が形成されていることを特徴とするものである。
【００１２】
この発明では、電柱の周囲に巻掛部材を巻き掛けて保持装置により連結することにより外方に延在する姿勢の棒状部材を所望の高さに取り付けることができ、その棒状部材の足場部を利用して作業者が乗ることができるとともに、その足場よりも外方先端の引掛部には工具袋の紐などを引っ掛けて吊り下げたり、その棒状部材先端の周回部内に工具袋の紐などを進入させることができる。したがって、電柱の所望の高さに足場を追加して利用することができるとともに、その足場とは異なる箇所に工具袋などを準備して作業することもできる。このときには、その工具袋の紐が誤って大きく移動しようとしたとしても、その棒状部材先端の周回部により脱落することが防止されるとともに、その周回部内に工具袋の紐などを進入させたときには、不用意にその周回部から工具袋の紐などが抜け出ることができずに信頼性高く吊り下げた状態を維持することができる。
ここで、前記棒状部材の引掛部の先端側の周回部は、延在方向から上方に向かって延長されて水平面内で周回するように形成してもよい。この場合には、棒状部材の先端側が上方に周回していることから、工具袋の紐などが外方に向かって滑ったとしても脱落することがなく、また、その周回内にその紐などを進入することにより不用意に大きく上方に持ち上げられたとしても抜け出て外れてしまうことなく、引っ掛けた状態を信頼性高く維持することができる。
【００１３】
上記課題を解決する電柱設置装置の第４の発明は、上記第１から第３のいずれかの発明の特定事項に加え、前記棒状部材は、巻掛部材により支持される支持部と、該支持部の先端側に着脱可能に連結される連結部との二部品により構成されており、連結部には、延在方向に対して屈折する屈折部が基端側に形成されているのに対して、支持部には、延在方向の複数個所の下面側に該連結部の屈折部を差込可能に開口する係合穴が形成されているとともに、当該連結部を挿通して延在方向にスライド可能に開口して該連結部を支持する差込穴が先端側に配設されていることを特徴とするものである。
【００１４】
この発明では、電柱の周囲に巻き掛けた巻掛部材により支持されている棒状部材の支持部の先端側の差込穴に連結部を挿通しつつスライドさせるとともに、その連結部の基端側の屈折部を支持部の延在方向のいずれかの係合穴内に差し込むことにより、この棒状部材の連結部は、支持部先端側の差込穴に支持されつつその支持箇所を中心に屈折部の屈折方向へ回動しようとするのをその支持部の下面に衝止されて制限されるとともに、その延在方向に移動しようとするのを屈折部が支持部の係合穴内に差込係合されていて制限される。したがって、工具袋の紐などを引っ掛ける連結部の長さを、支持部の下面側への挿通程度を調整して屈折部の係合穴内への差込係合の位置を選択することにより必要な長さにすることができ、棒状部材全体の長さを不必要に長くして邪魔になってしまうことなく快適に作業することができる。
ここで、前記棒状部材の支持部には、連結部の屈折部側を係合穴側に向かって接近させる板バネを設けてもよい。この場合には、差込穴内に差込挿通された連結部をその板バネにより支持部の下面に押さえ付けさせつつ差込穴（縁）により支持させることができる。その結果、連結部の先端側に工具袋の紐などが引掛けられていなくて荷重が掛かっていないときにもその連結部が回動して脱落することを回避することができる。
【００１５】
上記課題を解決する電柱設置装置の第５の発明は、上記第１から第４のいずれかの発明の特定事項に加え、前記巻掛部材に複数の棒状部材が支持されていることを特徴とするものである。
【００１６】
この発明では、電柱の周囲で外方に延在する姿勢の棒状部材を複数本取り付けることができ、それぞれに工具袋の紐を引っ掛けて吊り下げたり、足場として利用可能にすることができる。したがって、電柱の所望の高さに複数の工具袋などを別々に吊り下げことができ、これに加えて足場部を備えさせることにより電柱の周囲方向の複数個所に足場を準備することもできる。
【００１７】
上記課題を解決する電柱設置装置の第６の発明は、上記第５の発明の特定事項に加え、前記棒状部材は、巻掛部材に着脱させて増設または削減可能な構造に作製されていることを特徴とするものである。
【００１８】
この発明では、電柱の周囲で外方に延在する姿勢の棒状部材を必要に応じて追加することができる。したがって、棒状部材が必要な本数分だけ巻掛部材を電柱の周囲に不必要に巻き掛けることなく、その棒状部材だけを増やすことができ、また、不必要な棒状部材を電柱の周囲に取り付けてしまうことをなくして、最適な本数の棒状部材を取り付けて快適に作業することができる。
【発明の効果】
【００１９】
このように本発明によれば、所望の高さの電柱の周囲に巻掛部材を巻き掛けて外方に延在する棒状部材を取り付けることができ、その棒状部材に工具袋の紐などを引っ掛けて吊り下げることができる。この棒状部材の先端を周回させることにより、工具袋の紐などをその周回部内に進入させて脱落することを防止させるようにすることができ、また、この棒状部材の工具袋の紐などを引っ掛ける引掛部の内側に足場部を設けることにより、足場としても兼用することができ、さらに工具袋の紐などを引っ掛ける部分（連結部）の長さを調整可能にすることにより必要以上に長くなって作業の邪魔になってしまうことを回避することができる。したがって、作業位置近傍の所望の高さに工具袋を準備して快適に作業することができ、無理な姿勢になることなく、材料や工具などを取り出して効率よく作業を行うことができる。
【発明を実施するための最良の形態】
【００２０】
以下、本発明の最良の実施形態を図面に基づいて説明する。図１〜図７は本発明に係る電柱設置装置の第１実施形態を示す図である。
【００２１】
図１において、電柱設置装置１０は、電柱Ｄ（図５参照）の周囲に巻掛可能な長さを有するチェーン１１と、このチェーン１１同士を連結して電柱Ｄを締め付けることによりそのチェーン１１を所望の高さで巻き付けた状態に保持する保持装置１２と、電柱Ｄの外周面に対して外方に延在する姿勢になるようにチェーン１１に取り付けられて支持される棒状部材１３と、を備えて構成されており、所望の機能を果たすようにチェーン１１と保持装置１２により棒状部材１３を電柱Ｄの外面に設置するように設計されている。ここで、本実施形態では、電柱Ｄに巻き掛ける部材としてチェーン１１を利用する場合を一例に説明するが、これに限るものではなく、例えば、ベルト状の部材であってもよいことは言うまでもない。
【００２２】
保持装置１２は、電柱Ｄの外周面に沿うように設置される台座部２１と、この台座部２１の一方の側面側に配設されてチェーン１１の基端部が連結されている連結部２２と、台座部２１の他方の側面側に配設されてチェーン１１の先端側を連結するとともに牽引操作可能な牽引部２３と、を備えている。
【００２３】
台座部２１は、電柱Ｄの外周面に当接させる当接部２５がその外周面よりも小径の円弧形状に形成された当接面２５ａを有するとともに、連結部２２と牽引部２３よりも内側に位置することにより、当接面２５ａの両側方の側辺部２５ｂを確実に電柱Ｄの外周面に圧接させることができるように設計されている。この台座部２１の当接部２５の側辺部２５ｂには、電柱Ｄの外周面に小面積の複数箇所で圧接してずれを防止するように複数の切欠部２５ｃ（図３や図７を参照）が形成されている。
【００２４】
連結部２２は、図２に示すように、台座部２１の当接部２５よりも外側の一方の側面に立設されてチェーン１１の基端部を収装可能に形成された一対の突出部２６と、この突出部２６内に収装されたチェーン１１の基端部の一駒１１ａ内に挿通されるピン２７と、により構築されており、その突出部２６の間のピン２７によりチェーン１１の基端部を回動自在に連結している。
【００２５】
牽引部２３は、図２〜図４に示すように、台座部２１の当接部２５よりも外側の他方の側面に回転自在に立設されて外周面に雄ネジ形状２８ａが刻設されている雄ネジシャフト２８と、この雄ネジシャフト２８の先端に連結部２２と同様の構造により回動自在に連結されているレバー２９と、雄ネジシャフト２８と平行に台座部２１の側面に立設されている円柱形状の円柱シャフト３１と、雄ネジシャフト２８の雄ネジ形状２８ａに螺合可能な不図示の雌ネジ形状が内面に形成されている雌ネジ部３２ａおよび円柱シャフト３１をスライド可能に挿通する挿通部３２ｂが一体形成されているスライダ３２と、チェーン１１の一駒１１ａを収装可能な凹形状部３３ａを有するように形成されて連結部２２と同様の構造によりスライダ３２に回動自在に連結されている収装部３３と、を備えて構成されている。この牽引部２３は、収装部３３内にチェーン１１の一駒１１ａを収装することができるとともに、レバー２９を正逆方向に回動させて雄ネジシャフト２８を回転させることによって、スライダ３２が挿通部３２ｂ内に挿通されている円柱シャフト３１により回転することが制限されつつその雄ネジシャフト２８の雄ネジ部２８ａに螺合する雌ネジ部３２ａの位置が台座部２１に対して接近・離隔する方向にスライドする構造に構築されている。
【００２６】
これにより、保持装置１２は、台座部２１の側面の連結部２２に連結されているチェーン１１を電柱Ｄの周囲に巻き掛けて、その台座部２１の反対側の側面の牽引部２３の収装部３３内にその一駒１１ａを収装した状態でレバー２９を正逆方向に回動させる（雄ネジシャフト２８を回転させる）と、その牽引部２３は、スライダ３２を台座部２１に接近・離隔する方向にスライドさせることができ、収装部３３を連結部２２に接近・離隔させることができる。すなわち、この保持装置１２は、牽引部２３を操作することによりチェーン１１で電柱Ｄの周囲を締付・開放することができ、図５に示すように、連結部２２との間の台座部２１の当接部２５をその電柱Ｄの外周面に圧接・支持させて、その台座部２１を電柱Ｄの所望の高さに設置することができる。
【００２７】
棒状部材１３は、保持装置１２の台座部２１と一体に作製されており、その台座部２１の当接部２５の反対側に離隔する方向に、言い換えると、当接部２５（電柱Ｄの外周面）に対して鉛直の姿勢で外方に延在するように立設されている。
【００２８】
この棒状部材１３は、保持装置１２の台座部２１に隣接する部位には、作業者が乗ってもその荷重に耐え得る強度に設計されている足場部３５が配設されており、この足場部３５は、台座部２１との間が概略三角形状に形成されて補強されている。
【００２９】
また、この棒状部材１３は、足場部３５の先端に図６に示すような工具袋２００の紐２０１を引っ掛けてもその荷重に耐え得る強度に設計された引掛部３６が溶接などにより固設されており、この引掛部３６の先端部３６ａは、足場部３５を上面側にして電柱Ｄに設置する姿勢の際に、一旦降下した後に上昇して垂直方向に周回する、所謂、豚の尻尾形状の周回部に形成されている。
【００３０】
これにより、この棒状部材１３は、保持装置１２により電柱Ｄの所望の高さに設置して、足場部３５の先端側の引掛部３６に図６に示すような工具袋２００の紐２０１を引っ掛けて吊り下げることができ、その引掛部３６に吊り下げた工具袋２００が邪魔になることなく足場部３５を足場として利用することもできる。この状態では、棒状部材１３の引掛部３６の先端部３６ａは、一旦降下することから工具袋２００の紐２０１が外方に向かって滑ったとしても脱落することなく受け取ることができ、その先端までの周回内に工具袋２００の紐２０１が進入することにより不用意に大きく上方に持ち上げられたとしても抜け出て外れてしまうことなく、引っ掛けた状態を信頼性高く維持することができる。
【００３１】
したがって、作業者は、図５に示すように、電柱設置装置１０を電柱Ｄの所望の高さに設置することにより、長尺な防護管２０２などの材料や操作棒２０３などの工具を収納した工具袋２００をその棒状部材１３の引掛部３６に吊り下げて準備することができるとともに、その棒状部材１３の足場部３５に乗って作業することもできる。
【００３２】
また、この電柱設置装置１０は、図７に示すように、保持装置１２から連結部２２や牽引部２３を省いて台座部２１と棒状部材１３を連設されている増設装置４１が着脱可能に複数準備されており、この増設装置４１は、その台座部２１にチェーン１１を貫通可能な貫通穴４２が開口されている。
【００３３】
これにより、電柱設置装置１０は、増設装置４１の貫通穴４２に貫通させたチェーン１１を電柱Ｄの周囲に巻き掛けて保持装置１２により締め付けることにより、増設装置４１の台座部２１の当接部２５をその電柱Ｄの外周面に圧接させて支持させることができ、複数本の棒状部材１３を電柱Ｄの周囲に設置することができる。
【００３４】
したがって、作業者は、必要な本数の増設装置４１をチェーン１１に追加した電柱設置装置１０を電柱Ｄの所望の高さに設置することにより、所望の高さに所望の本数の棒状部材１３を設置することができ、不必要な増設装置４１が邪魔になってしまうことなく、それぞれの引掛部３６に工具袋２００を吊り下げることができるとともに、それぞれの足場部３５に乗って作業することもできる。このとき、作業者は、棒状部材１３毎に、工具袋２００の吊り下げ用または作業足場用と使い分けることができることはいうまでもない。
【００３５】
このように本実施形態においては、作業者は、簡易な構造で安価に作製可能な電柱設置装置１０を、電柱Ｄの所望の高さに容易に設置して工具袋２００を安全に吊り下げるとともに足場としても利用することができる。したがって、作業位置の近傍に工具袋２００を吊り下げることにより姿勢を大きく変えることなく楽に材料や工具を取り出して快適に作業を行うことができ、また、その工具袋２００を落下させないように注意することなく、足場として利用しつつ各種作業を効率よく行うことができる。
【００３６】
次に、図８〜図１１は本発明に係る電柱設置装置の第２実施形態を示す図である。ここで、本実施形態は、上述実施形態と略同様に構成されていることから、同様な構成には同一の符号を付してその特徴部分を説明する。
【００３７】
図８および図９において、電柱設置装置５０は、保持装置１２が電柱Ｄの周囲に巻き掛け保持するチェーン１１により支持される棒状部材１３の足場部（支持部）３５の先端に、図１０に示す引掛部（連結部）５６を連結して使用する二部品の着脱可能な組立構造に設計されている。
【００３８】
引掛部５６は、棒状に延在して、所謂、豚の尻尾形状に周回する先端部３６ａが形成されているとともに、その反対側の基端部５６ｂには、その延在方向に対して直角に屈折する屈折部５６ｃが形成されている。
【００３９】
これに対して、足場部３５先端の下面側には、図１１に示すように、その引掛部５６の屈折部５６ｃを横向きにするなどして差込可能な差込穴３５ａを画成するように支持棒５５が溶接されており、この足場部３５の本体部分には、引掛部５６の屈折部５６ｃを下面側から差し込んで係合させることができるように開口する貫通穴（係合穴）３５ｂが形成されている。
【００４０】
これにより、棒状部材１３は、足場部３５先端の差込穴３５ａ内に引掛部５６の基端部５６ｂを差込挿通させた状態で延在方向にスライドさせることにより、足場部３５先端から引掛部５６を突出させる長さを調整することができ、その引掛部５６の先端部３６ａを所望の位置に位置決めするように引掛部５６の屈曲部５６ｃを貫通穴３５ｂに差込係合させることができる。この状態で、引掛部５６に工具袋２００の紐２０１を引っ掛けて吊り下げた場合には、この引掛部５６は支持棒５５に支持されつつ基端部５６ｂを上昇させる方向（屈曲部５６ｃの屈曲・差込方向）に回動しようとするが足場部３５の下面に衝止・制限されて、屈曲部５６ｃの貫通穴３５ｂでの差込係合が維持される。
【００４１】
このように本実施形態においては、上述実施形態による作用効果に加えて、工具袋２００を吊り下げる引掛部５６の長さを邪魔にならないように調整することができ、快適に作業することができる。
【００４２】
ここで、本実施形態の他の態様としては、本実施形態の棒状部材１３は引掛部５６を足場部３５先端の差込穴３５ａ内に差込挿通して支持棒５５に支持させるだけであるが、その支持棒５５に、足場部３５の下面に対面しつつ接近する板バネを溶接してもよい。この場合には、差込穴３５ａ内に差込挿通された引掛部５６をその板バネにより足場部３５の下面に押さえ付けさせつつ支持棒５５により支持させることができる。その結果、引掛部５６の先端側に工具袋２００の紐２０１などが引掛けられていなくて荷重が掛かっていないときにもその引掛部５６が基端部５６ｂを降下させる方向（屈曲部５６ｃの屈曲・差込方向と反対方向）に回動してしまうことを防止することができ、その引掛部５６が脱落することを回避することができる。
【００４３】
また、上述実施形態では、棒状部材１３（引掛部３６、５６）の先端部３６ａが垂直方向に周回する、所謂、豚の尻尾形状の周回部を形成する場合を一例に説明するが、これに限るものではなく、例えば、図１２に示すように、水平方向に周回しつつ上昇する、所謂、豚の尻尾形状に周回部を形成しても良い。この場合には、棒状部材１３の先端部３６ａが上方に周回していることから、工具袋２００の紐２０１が外方に向かって滑ったとしても脱落することがなく、また、その周回内に工具袋２００の紐２０１を進入させることにより不用意に大きく上方に持ち上げられたとしても抜け出て外れてしまうことなく、引っ掛けた状態を信頼性高く維持することができる。
【産業上の利用可能性】
【００４４】
これまで本発明の一実施形態について説明したが、本発明は上述の実施形態に限定されず、その技術的思想の範囲内において種々異なる形態にて実施されてよいことは言うまでもない。
【図面の簡単な説明】
【００４５】
【図１】本発明に係る電柱設置装置の第１実施形態を示す図であり、その概略全体構成を示す斜視図である。
【図２】その要部構成を示す上面図である。
【図３】その要部構成を示す正面図である。
【図４】その要部構成を示す側面図である。
【図５】その電柱への設置状態を示す側面図である。
【図６】その電柱設置装置に引っ掛ける一例の工具袋を示す斜視図である。
【図７】その電柱設置装置に追加する増設装置を示す斜視図である。
【図８】本発明に係る電柱設置装置の第２実施形態を示す図であり、その概略全体構成を示す斜視図である。
【図９】その要部構成を示す側面図である。
【図１０】その要部構成を示す平面図である。
【図１１】その要部構成を示す正面図である。
【図１２】その他の態様の要部の構成を示す図であり、（ａ）はその斜視図、（ｂ）はその側面図である。
【符号の説明】
【００４６】
１０、５０……電柱設置装置    １１……チェーン    １２……保持装置    １３……棒状部材    ２１……台座部    ２２……連結部    ２３……牽引部    ２５……当接部    ２８……雄ネジシャフト    ２９……レバー    ３１……円柱シャフト    ３２……スライダ    ３２ａ……雌ネジ部    ３２ｂ……挿通部    ３３……収装部    ３５……足場部    ３５ａ……差込穴    ３５ｂ……貫通穴    ３６、５６……引掛部    ３６ａ……先端部    ４１……増設装置    ４２……貫通穴    ５５……支持棒    ５６ｂ……基端部    ５６ｃ……屈折部    ２００……工具袋    ２０１……紐
【図１】
0004535996.tif 000002
【図２】
0004535996.tif 000003
【図３】
0004535996.tif 000004
【図４】
0004535996.tif 000005
【図５】
0004535996.tif 000006
【図６】
0004535996.tif 000007
【図７】
0004535996.tif 000008
【図８】
0004535996.tif 000009
【図９】
0004535996.tif 000010
【図１０】
0004535996.tif 000011
【図１１】
0004535996.tif 000012
【図１２】
0004535996.tif 000013